(57)【要約】【課題】本発明においては、コイルバネの付勢を利用し前記直線部から離れるように外側に向かって引っ張りながら乾かすため、被服の縮みを抑制し、確実にしわを伸ばすことができる。シンプルな構造で誰でも簡単に使用でき、収納時にも場所をとらない。被服押し広げ部をアダプターとして装着すれば既存のハンガーを利用でき、しわ取りに要する手間とコストを削減できる。【解決手段】ハンガー本体と、前記ハンガー本体の両端部に取り付けられたコイルバネおよびコイルバネに結合し、前記コイルバネにより互いの間隔が広がる方向に付勢されたアーム部を備えた被服押し広げ部を有することを特徴とする。【選択図】図１
2020096712.tif 000002
【特許請求の範囲】
【請求項１】
ハンガー本体と、前記ハンガー本体の両端部に取り付けられたコイルバネおよび前記コイルバネに結合し、前記コイルバネにより互いの間隔が広がる方向に付勢されたアーム部を備えた被服押し広げ部を有するハンガー。
【請求項２】
前記被服押し広げ部の前記アーム部の先端にフック状に形成されたフック部を形成したことを特徴とする請求項１記載のハンガー。
【請求項３】
前記アーム部には、前記フック部側に緩やかに湾曲された湾曲部が形成されている請求項１又は２記載のハンガー。
【請求項４】
アーム部は、湾曲部を備えた棒状の樹脂で形成されたアーム部材を前記コイルバネの一方の直線部に結合して構成されていることを特徴とする請求項１から３のいずれかに記載のハンガー。
【請求項５】
両肩間直線部に2箇所の係止用凸部を設け、アーム部材の先端に設けた係止用凹部が前記係止用凸部とはまり合うようにしたことを特徴とする請求項1から４のいずれかに記載のハンガー。
【発明の詳細な説明】
【技術分野】
【０００１】
本発明は衣類物干し時にしわをできにくくするのに好適なハンガーに関する。          
【背景技術】
【０００２】
従来、この種のしわを伸ばすハンガーとしては、種々のものが提案されている。例えば、ハンガーの下に衣類の身幅と着丈の長さに合わせた長方形の型枠を取り付け、さらに針金の素材でできた胸回り位置の上部用、腰回り位置の下部用の部分ごとに形成された輪状の型枠が前記長方形の型枠に設けられ、衣類の内側から布地を前後に立体的に押し広げるものがある。
【特許文献１】特開2016-59776
【発明の概要】
【発明が解決しようとする課題】
【０００３】
しかしながら、従来のしわを伸ばす目的のハンガーにあっては、使用時に内側から膨らませてしわを伸ばす形状のものが多く、前後に膨らんだ状態になるため、狭い空間での使用が難しかった。またハンガー付属品があり使用していない時の収納時のかさばりがあるという問題点があった。
そこで本発明は上記問題点に鑑み、使用時や不使用時にかかわらず、かさばらずにしわを伸ばすことができるハンガーを提供しようとするものである。
【課題を解決するための手段】
【０００４】
本発明の請求項１の発明は、ハンガー本体と、前記ハンガー本体の両端部に取り付けられたコイルバネおよびコイルバネに結合し、前記コイルバネにより互いの間隔が広がる方向に付勢されたアーム部を備えた被服押し広げ部を有する。
【０００５】
本発明の請求項２の発明は、前記被服押し広げ部の前記アーム部の先端にフック状に形成されたフック部を形成したことを特徴とする。
【０００６】
本発明の請求項３の発明は、前記アーム部には、前記フック部側に緩やかに湾曲された湾曲部が形成されている。
【０００７】
本発明の請求項４の発明は、アーム部は、湾曲部を備えた棒状の樹脂で形成されたアーム部材を前記コイルバネの一方の直線部に結合して構成されていることを特徴とする。
【０００８】
本発明の請求項５の発明は、両肩間直線部に2箇所の係止用凸部を設け、アーム部材の先端に設けた係止用凹部が前記係止用凸部とはまり合うようにしたことを特徴とする。
【発明の効果】
【０００９】
本発明においては、コイルバネの付勢を利用し被服押し広げ部のアーム部が直線部から離れるように外側に向かって押し広げながら乾かすため、被服の縮みを抑制し、確実にしわを伸ばすことができるとともに、コンパクトに収納することができる。また、アーム部の先端にフック部を設けておけば、係止したフック部を外すだけの簡単な作業なので非常に容易に使用でき、これまでにかかっていたしわ取りに要する手間とコストを削減できる。
また、しわの入った被服にスチーマーを使用する際には、本発明のハンガーに掛け被服押し広げ部を作用させれば、手で縦や横に引っ張ることなく布地が伸びた状態でスチームを当てることが出来るため、手間も省けて安全性も高くなる。
【図面の簡単な説明】
【００１０】
【図１】本発明の一実施形態のハンガーを示す正面図である。
【図２】本発明の他の実施形態のハンガーを示す図である。
【図３】本発明の他の実施形態のハンガーを示す正面図である。
【図４】本発明の他の実施形態のハンガーを示す正面図である。
【図５】本発明のハンガーを使用した状態を示す図である。
【図６】他の実施形態のハンガーの正面図である。
【図７】本発明の一実施形態のハンガーを示す正面図である。
【発明を実施するための形態】
【００１１】
以下本発明のハンガーについて図面に基づき詳細に説明する。
図１において１はハンガー本体で、掛け部５と両肩支持部６と両肩間直線部７とを有する。左右一対で構成される被服押し広げ部２a,２bは、それぞれ複数回巻いたコイルバネ部１０a,１０bを中間部に有する1本の針金よりなり、コイルバネ部１０a,１０bを中心とした時の両端の開く角度が90度以上になるように構成され、被服押し広げ部２a,２bの両肩間直線部７に添う直線部８a,８bと、直線部８a,８bの反対側の被服に接する部分のアーム部９a,９bを有する。
ハンガー本体１の両肩間直線部７の端部に、それぞれの被服押し広げ部２a,２bのコイルバネ部１０a,１０bを両肩間直線部７の両端にそれぞれ結束バンド３a,３bで連結し、直線部８a,８bの端部を両肩間直線部７のコイルバネ部１０a,１０bよりも中央部寄りに結束バンド１０３a,１０３bで連結し、コイルバネ部１０a,１０bの付勢力により直線部８a,８bから離れるように働くアーム部９a,９bが、内側から衣類を押し広げるように構成されている。またアーム部９a,９bの先端にはフック状に形成されたフック部１１a,１１bが設けられ、フック部１１a,１１b側には緩やかに湾曲された湾曲部４a,４bが形成されている。湾曲部４a,４bを設けることで、押し広げる際に被服とバネの接触部分は、接点ではなくある程度広い範囲にわたって外側に開こうとする力を伝えることが出来る。また、使用時に先端のフック部１１a,１１bは被服には直接触れることはなく、被服を傷つけることを防止している。本実施形態では、アーム部９a,９bの全長のうちフック部１１a,１１b側半分の長さが湾曲部４a,４bとして形成されているが、フック部１１a,１１b側から長くても短くてもよい。また、フック部１１a,１１bの先端はゴムやプラスチックにて覆うことで怪我や引っ掛かりを防止することができる。また、直線部８a,８bに連結した結束バンド１０３a,１０３bが外れないよう、直線部８a,８bの先端に屈曲部１８a,１８bを設ける。
【００１２】
図１の実施形態では、被服押し広げ部２a,２b の2本が左右一対で用いられているが、被服押し広げ部２a,２bを連続した針金1本で形成しても同様の効果を得ることができる。本発明における直線部８a,８bとアーム部９a,９bの開く角度は90度以上のものを使用する。好ましくは135度から180度のものがよい。135度から180度であれば使用時に被服を程よく押し広げてしわを伸ばすことができる。
また、ハンガー本体１に被服押し広げ部２a,２bを固定する方法としては、コイルバネ部１０a,１０bと直線部８a,８bを両肩間直線部７にそれぞれ結束バンド３a,３bと結束バンド１０３a,１０３bで連結する方法の他に、ハンガー本体が加工が可能な材質であれば図２に示すように、両肩間直線部７の端寄り下部に設けた凹部１９a,１９bにそれぞれ直線部８a,８bを埋め込み、直線部８a,８bを埋め込んだ凹部１９a,１９bを樹脂で充填して固定し、コイルバネ部１０a,１０bを結束バンド３a,３bで連結してもよい。
【００１３】
両肩間直線部７の両端寄り下部に被服押し広げ部２a,２bを固定することで、アーム部９a,９bには常に下外側に広がる付勢が働いている。図３に示すように、不使用時にはアーム部９a,９bをねじりバネの付勢に抗して直線部８a,８bに近づけて、フック部１１a,１１bを両肩間直線部７に引っ掛けて係止することができる。また同様に図４に示すようにフック部１１a,１１bをコイルバネ部１０a,１０bに引っ掛けて係止することもできる。このように、被服押し広げ部２a,２bがハンガー本体１の下に重なるような状態でコンパクトに収まることで収納時のかさばりが解消できる。
【００１４】
図５は、本発明のハンガーを使用した状態の一例である。図に示すように、被服内側からコイルバネの付勢を利用し直線部８a,８bから離れるように下外側に向かってアーム部９a,９bが被服を押し広げながら乾かすため、被服の縮みを抑制でき、しわが伸びた状態になる。
【００１５】
図６は別の実施形態を示すものであって、被服押し広げ部２a,２bの直線部８a,８bの反対側のコイルバネ部１０a,１０bの一方の直線部１０８a,１０８bで、湾曲部４a,４bやフック部１１a,１１bを有さない直線の針金を使用する。ハンガー本体１に、コイルバネ部１０a,１０bの一方の直線部１０８a,１０８bを芯にした棒状の樹脂で形成され、湾曲部を備えたアーム部材９Ｘa,９Ｘbを有する被服押し広げ部２a,２bが連結したものである。さらに、両肩間直線部７とコイルバネ部１０a,１０bを直接結束バンド３a,３bで連結するのではなく、両肩間直線部７のそれぞれの端寄り下部に、対向する一対の板状体で形成され、コイルバネ部１０a,１０bを挟み込むように構成されたコイルバネ固定部１５a,１５bを設け、コイルバネ部１０a,１０bをコイルバネ固定部１５a,１５bで挟み込んで両肩間直線部７の外側に固定する。また、コイルバネ部１０a,１０bの脱落を防止するため、コイルバネ部１０a,１０bとコイルバネ固定部１５a,１５bを貫通する軸を通して留めておく。また、直線部８a,８bは両肩間直線部７両端寄り下部の凹部１９a,１９bに固定する。
また、両肩間直線部７のコイルバネ固定部１５a,１５bよりも中央部寄りに2箇所の係止用凸部１２a,１２bを設け、アーム部材９Ｘa,９Ｘbの先端に係止用凸部１２a,１２bにはまり合う係止用凹部１３a,１３bが設けられている。コイルバネ部１０a,１０bの一方の直線部１０８a,１０８bはアーム部材９Ｘa,９Ｘbを付勢する役目を担い、ある一定の長さがあれば付勢を伝えることができるため、短くてもよい。
コイルバネ部１０a,１０bの一方の直線部１０８a,１０８bにアーム部材９Ｘa,９Ｘbを結合する構造にすることで、針金の経年使用による変形を予防でき、錆の影響を受けにくくなる。また、フック部１１a,１１bの先端の尖りがなくなり安全性も向上する。
【００１６】
図７は他の実施形態を示すものであって、両肩間直線部７を有さない掛け部５と両肩支持部６からなるハンガー本体１４の両肩支持部６の先端下部に、それぞれの被服押し広げ部２a,２bのコイルバネ部１０a,１０bを結束バンド３a,３bで連結し、直線部８a,８bの端部を結束バンド１０３a,１０３bで連結している。被服押し広げ部２a,２bのアーム部９a,９bにはフック部側に緩やかに湾曲された湾曲部４a,４bが形成され、先端にはフック部１１a,１１bを有し、フック部１１a,１１bは反対側のコイル部１０a,１０bに係止することができる。
【００１７】
被服押し広げ部２a,２bはハンガー本体１またはハンガー本体１４に連結しているが、例えばハンガー用アダプターとして、既製品のハンガーに付け替えることも可能である。またねじりバネの線径や巻数、アームの長さを変更することで付勢の強さを変えることができるため、女性用、子供用、ビジネスシャツ用、Ｔシャツ用、ニット用などの様々な衣類に対応することができる。
【産業上の利用可能性】
【００１８】
衣類のしわを伸ばしながら干すハンガー。
【符号の説明】
【００１９】
１．ハンガー本体
２．被服押し広げ部
３．結束バンド
４．湾曲部
５．掛け部
６．両肩支持部
７．両肩間直線部
８．直線部
９．アーム部
９Ｘ．アーム部材
１０．コイルバネ部
１１．フック部
１２．係止用凸部
１３．係止用凹部
１４．ハンガー本体（両肩間直線部なし）
１５．コイルバネ固定部
１８．屈曲部
１９．凹部
１０３．結束バンド
１０８．コイルバネ部の一方の直線部
【図１】
2020096712.tif 000003
【図２】
2020096712.tif 000004
【図３】
2020096712.tif 000005
【図４】
2020096712.tif 000006
【図５】
2020096712.tif 000007
【図６】
2020096712.tif 000008
【図７】
2020096712.tif 000009
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
掛け部と両肩支持部と両肩間直線部を備えた既製品のハンガーに取り付けるためのアダプターであって、前記アダプターは複数回巻いたコイルバネ部を中間部に有し、前記ハンガーの両肩間直線部に沿わせて固定するための直線部と端部に不使用時に両肩間直線部に引っ掛けて前記両肩間直線部の下に重なる状態で収納するためのフック部を備えた被服を押し広げるためのアーム部を有するハンガー用アダプター。